(57)【特許請求の範囲】
【請求項１】
前面側に遊技領域を形成する遊技盤を保持した内枠と、その遊技領域に対応した窓部を形成し前記内枠の前面側に開閉可能に設けられた前枠と、その前枠の後面側に着脱可能に配置されて前記窓部を閉塞し、該前枠が内枠に対して閉状態のときに該窓部を介して前記遊技領域を視認可能とする前後一対の透明板部材を有した透明板ユニットと、を備えた遊技機であって、
前記透明板ユニットは、
前記一対の透明板部材のうち、遊技者側である前側に配置されて前記窓部から露出する前側透明板部材と、
その前側透明板部材を保持し、前記前枠の固定手段によって着脱可能に固定される前側保持枠と、
前記一対の透明板部材のうち、前記前側透明板部材の後側で前記遊技盤に対向配置される後側透明板部材と、
その後側透明板部材を保持する後側保持枠と、
前記前側保持枠と後側保持枠との間において、前記一対の透明板部材を所定範囲の間隔幅内で相対的に移動可能に接合する接合手段と、
前記透明板ユニットが前記前枠に配置された時には、前記前枠の背面を起端として前記後側保持枠を介して前記後側透明板部材を後方に付勢する一方、前記透明板ユニットが前記前枠に配置されていない時には、前側保持枠及び後側保持枠との間で前記一対の透明板部材を夫々離間する方向に付勢する付勢手段と、を備えたことを特徴とする遊技機。
【請求項２】
前記付勢手段は、一端側が前記後側保持枠に配置される圧縮コイルばねと、その圧縮コイルばねの他端側に配置され該圧縮コイルばねの付勢力を受け止めるバネ受部材と、を備え、
前記前側保持枠には、後面側から配置される前記バネ受部材の一部が前面側に突出可能な貫通孔が形成されており、
前記透明板ユニットが前記前枠に配置された時には、前記バネ受部材の突出可能な一部が前記前枠の後面によって前記貫通孔内に押し込まれる形で、当該バネ受部材を介し前記前枠の後面を起端として前記後側保持枠が後方に付勢される請求項１に記載の遊技機。
【請求項３】
前記透明板ユニットが前記前枠に配置されていない時には、前記バネ受部材の一部が前記貫通孔から前記前側保持枠の前面側に突出した状態で、前記バネ受部材が前側保持枠に係止して当該後側保持枠と前側保持枠とがそれぞれ離間する方向に付勢される請求項２に記載の遊技機。
【請求項４】
前記遊技盤又は内枠には、前記前枠が内枠に対して閉状態のときに、前記遊技盤の盤面と後側透明板部材との距離を一定に保つために前記後側保持枠を受け止める当接部が設けられており、前記後側透明板部材は、前記後側保持枠が当接部に当接することにより、前記所定範囲の間隔幅の中途位置で保持される請求項１ないし３のいずれか１項に記載の遊技機。
【発明の詳細な説明】
【技術分野】
【０００１】
本発明は、遊技機に関する。
【背景技術】
【０００２】
パチンコ機などの遊技機には、内枠に保持された遊技盤の遊技領域を視認可能とするために、その内枠の前面側に開閉可能に設けられた前枠に該遊技領域に対応した窓部が形成され、その窓部を閉塞するようにガラス板などの透明板部材が配置されている。この透明板部材は、保持枠に保持されて前面枠に着脱可能に固定され、例えば、一対（２枚）の透明板部材が所定の間隔をあけて配置されるようになっている。
【０００３】
この種の透明板部材の保持枠としては、例えば特許文献１のようなものが提供されている。特許文献１の遊技機の透明板保持枠は、一対の透明板を夫々が保持するように、第一の透明板を保持する第一の保持枠と、第二の透明板を保持する第二の保持枠とを備えている。そして、一対の透明板を夫々離間する方向へと付勢する付勢手段としての弾性部材を備え、遊技盤の前面と後側の透明板との間の距離を一定にするようにしている。
【先行技術文献】
【特許文献】
【０００４】
【特許文献１】特開２００９−０７２５６７号公報
【０００５】
特許文献１の透明板保持枠のように、第一の保持枠と第二の保持枠とが弾性部材によって離間する方向に付勢される構成では、遊技機枠の個体差による遊技盤と後側の透明板との距離のバラツキを吸収して、遊技盤と後側の透明板との距離を一定に設定することが可能であり、また、遊技者が前枠を手前に引っ張る悪戯行為（不正行為）により遊技盤と後側の透明板との距離が広くなるのを防止することができる。すなわち、その距離の変更に起因する球詰まりなどの発生を防止することができる。
【発明の概要】
【発明が解決しようとする課題】
【０００６】
ここで、特許文献１の透明板保持枠では、弾性部材が第一の保持枠と第二の保持枠との間で直接的に付勢するように配置されている。すなわち、遊技盤の前面との距離を一定にする後側の透明板（保持枠）が前側の透明板（保持枠）を基準として配置されることとなる。前側の透明板は、前枠の窓部から露出し遊技者が触れることが可能であり、隙間などが生じれば不正遊技者の標的となり易く、上記のような悪戯行為を含む不正行為防止の観点から鑑みると、後側の透明板への付勢力は、前側の透明板とは切り離されていることが望ましい。
【０００７】
また、上記のような遊技機枠の個体差の発生を考慮すると、直接前枠に固定される前側の透明板（保持枠）はもちろんのこと、後側の透明板（保持枠）についても前枠を基準として固定（付勢）して、組み付け精度を高めることが望ましい。
【０００８】
本発明は、上記実情に鑑みてなされたものであり、一対の透明板部材を備えた透明板ユニットにおいて、後側の透明板部材を前枠基準として固定し、組み付け精度を高めるとともに、不正行為防止効果を高めた信頼性のある遊技機を提供することにある。
【課題を解決するための手段】
【０００９】
上記課題を解決するために、本発明の遊技機は、
前面側に遊技領域を形成する遊技盤を保持した内枠と、その遊技領域に対応した窓部を形成し内枠の前面側に開閉可能に設けられた前枠と、その前枠の後面側に着脱可能に配置されて窓部を閉塞し、該前枠が内枠に対して閉状態のときに該窓部を介して遊技領域を視認可能とする前後一対の透明板部材を有した透明板ユニットと、を備えた遊技機であって、
透明板ユニットは、
一対の透明板部材のうち、遊技者側である前側に配置されて窓部から露出する前側透明板部材と、
その前側透明板部材を保持し、前枠の固定手段によって着脱可能に固定される前側保持枠と、
一対の透明板部材のうち、前側透明板部材の後側で遊技盤に対向配置される後側透明板部材と、
その後側透明板部材を保持する後側保持枠と、
前側保持枠と後側保持枠との間において、一対の透明板部材を所定範囲の間隔幅内で相対的に移動可能に接合する接合手段と、
透明板ユニットが前枠に配置された時には、前枠の背面を起端として後側保持枠を介して後側透明板部材を後方に付勢する一方、透明板ユニットが前枠に配置されていない時には、前側保持枠及び後側保持枠との間で一対の透明板部材を夫々離間する方向に付勢する付勢手段と、を備えたことを特徴とする。
【発明の効果】
【００１０】
上記本発明の遊技機によれば、一対の透明板部材を備えた透明板ユニットにおいて、前側保持枠と後側保持枠とが接合手段により一対の透明板部材を所定範囲の間隔幅内で相対的に移動可能に接合されている。そして、透明板ユニットが前枠に配置された時には、付勢手段により前枠の背面を起端として後側保持枠を介して後側透明板部材が後方に付勢されている。これによれば、後側透明板部材（後側保持枠）と前側透明板部材（前側保持枠）とが接合手段により安定的に接合された状態で、後側透明板部材（後側保持枠）が前枠基準として固定（付勢）されるので、透明板ユニット自身が安定するだけでなく、前枠への組み付け精度を高めることができる。また、前側透明板部材と後側透明板部材との間には、付勢手段による付勢力は働いていないため、仮に、遊技者が叩くなどして前側透明板部材が衝撃を受けたとしても後側透明板部材には影響せず、支障なく遊技球が遊技領域を流下し円滑に遊技を行うことができる。ひいては、不正行為防止効果を高めた信頼性のある遊技機を提供することができる。
【００１１】
また、透明板ユニットは、前枠に配置されていない時には、付勢手段が前側保持枠及び後側保持枠との間で一対の透明板部材を夫々離間する方向に付勢する。これによれば、一対の透明板部材が互いに衝突することなく、安全な状態で保管や運搬を行うことができる。すなわち、付勢手段は、透明板ユニットが前枠に配置されているか否かによって、後側保持枠を付勢する相手側として前枠か前側保持枠かを切り替えることができ、それぞれの状態において良好な効果を奏する。
【００１２】
また、付勢手段は、一端側が後側保持枠に配置される圧縮コイルばねと、その圧縮コイルばねの他端側に配置され該圧縮コイルばねの付勢力を受け止めるバネ受部材と、を備え、
前側保持枠には、後面側から配置されるバネ受部材の一部が前面側に突出可能な貫通孔が形成されており、
透明板ユニットが前枠に配置された時には、バネ受部材の突出可能な一部が前枠の後面によって貫通孔内に押し込まれる形で、当該バネ受部材を介し前枠の後面を起端として後側保持枠が後方に付勢される構成とすることができる。
【００１３】
これによれば、前側保持枠に貫通孔が形成され、その貫通孔にバネ受部材が配置されるという簡易な構成によって、前枠の後面を起端として後側保持枠を後方に付勢することができる。また、バネ受部材が貫通孔内に押し込まれる形で後側保持枠を付勢するため、圧縮コイルばねによる十分な付勢力（復元力）得ることができる。
【００１４】
また、遊技機は、透明板ユニットが前枠に配置されていない時には、バネ受部材の一部が貫通孔から前側保持枠の前面側に突出した状態で、バネ受部材が前側保持枠に係止して当該後側保持枠と前側保持枠とがそれぞれ離間する方向に付勢される構成とすることができる。
【００１５】
これによれば、バネ受部材の一部が貫通孔から突出した状態となるため、保管や運搬時に透明板ユニットを配列したときのスペーサーの役割を担い、隣り合う透明板ユニットの透明板部材が互いに衝突するのを防止することができる。また、バネ受部材が前側保持枠に係止する形で介在するため、圧縮コイルばねの付勢力を効率よく前側保持枠に伝えることができ、前側保持枠と後側保持枠とを安定的に維持することができる。
【００１６】
また、遊技盤又は内枠には、前枠が内枠に対して閉状態のときに、遊技盤の盤面と後側透明板部材との距離を一定に保つために後側保持枠を受け止める当接部が設けられており、後側透明板部材は、後側保持枠が当接部に当接することにより、所定範囲の間隔幅の中途位置で保持される構成とすることができる。
【００１７】
これによれば、前枠基準で後方に付勢された後側保持枠（後側透明板部材）が、遊技盤又は内枠側の当接部によって受け止められるので、遊技盤と後側透明板部材との間の距離を一定にすることができる。そしてその時、後側保持枠が前側保持枠と相対的に移動可能な所定範囲の間隔幅内の中途位置で保持されるように設定されるので、内枠や前枠などの遊技機本体の個体差によるバラツキを吸収し、前枠の開閉動作の際に過剰な負荷や破損するのを防止することができる。また、後側保持枠が当接部を押圧した状態で保持されるため、安定して当接し遊技盤と後側透明板部材との間の距離を一定にすることができる。
【図面の簡単な説明】
【００１８】
【図１】本発明の実施形態に係る遊技機の一例における前枠が開いた状態を示す斜視図である。
【図２】透明板ユニットの一例を示す正面図である。
【図３】図２の透明板ユニットを前側から見た斜視図である。
【図４】図２の透明板ユニットを後側から見た斜視図である。
【図５】図２の透明板ユニットの分解斜視図である。
【図６】図２のＡ−Ａ断面の中央部分を省略した図である。
【図７】図６の断面に対応した要部拡大断面図であり、透明板ユニットを前枠に配置した状態を示す図である。
【図８】図６の断面に対応した要部拡大断面図であり、前枠が閉じた状態を示す図である。
【発明を実施するための形態】
【００１９】
以下、本発明における実施形態について図面を参照しつつ説明する。
【実施例】
【００２０】
図１に示すように、遊技機（以下、パチンコ機ともいう）１は、そのパチンコ機１の外郭を形成する額縁状の外枠２を備えている。外枠２には、ヒンジ部２ａ，２ｂを介して前面側に向かって片開き可能な内枠３が支持されている。内枠３には、同様にヒンジ部２ａ，２ｂを介して前面側に向かって片開き可能な前枠４が支持されている。内枠３には、ガイドレール５ａにより前面側に遊技領域５ｂが形成された遊技盤５が装着され、その遊技盤５の下方に遊技領域５ｂに向けて遊技球を発射する球発射装置６が設けられている。また、遊技盤５には、前枠４が内枠３に対して閉状態のときに、遊技盤５の盤面と後述する透明板ユニット７の後側透明板部材７２との距離を一定に保つために後側保持枠７４を受け止める当接部５１がコーナー飾り等として設けられている。なお、当接部５１は、内枠３に形成する構成としてもよい。
【００２１】
前枠４は、遊技盤５の遊技領域５ｂに対応した窓部４１（図７参照）が厚み方向に貫通形成されて開口している。そして、前枠４の後面４ａ側には、窓部４１を閉塞するように、前後一対の透明板部材７１，７２を有した透明板ユニット７が着脱可能に配置されている。透明板ユニット７は、前枠４が内枠３に対して閉状態のときに該窓部４１を介して遊技領域５ｂを視認可能としている。また、前枠４の前面下側には、貸球や賞球等の遊技球を一時的に貯留し、その貯留した遊技球を整流して球発射装置６に供給する球受皿４２と、球発射装置６が遊技球を発射する発射力を調節するための発射ハンドル４３とが設けられている。なお、前枠４の後面４ａ側には、透明板ユニット７を着脱可能に固定する固定手段４４ａ，４４ｂ，４４ｃ，４４ｄ（以下、まとめて固定手段４４ともいう）が設けられている。
【００２２】
なお、本明細書において、パチンコ機１における上下方向とは遊技盤５の盤面に沿う態様で遊技領域５ｂを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ｂの反対側）が後側である。
【００２３】
以下、透明板ユニット７について詳しく説明する。透明板ユニット７は、図２ないし図６に示すように、一対の透明板部材のうち遊技者側である前側に配置されて前枠４の窓部４１から露出する前側透明板部材７１と、その前側透明板部材７１を保持して前枠４の固定手段４４によって着脱可能に固定される前側保持枠７３と、一対の透明板部材のうち前側透明板部材７１の後側で遊技盤に対向配置される後側透明板部材７２と、その後側透明板部材７２を保持する後側保持枠７４とを備えている。前側透明板部材７１及び後側透明板部材７２は、例えば、円形状、楕円形状（レーストラック形状，小判形状）や矩形状の透明なガラス板が用いられる。
【００２４】
また、透明板ユニット７は、前側保持枠７３と後側保持枠７４との間において、前側透明板部材７１と後側透明板部材７２とを所定範囲の間隔幅Ｗ内で相対的に移動可能に接合する接合手段８０と、透明板ユニット７が前枠４に配置された時に、前枠４の背面４ａを起端として後側保持枠７４を介して後側透明板部材７２を後方に付勢する付勢手段９０とを備えている。なお、付勢手段９０は、透明板ユニット７が前枠４に配置されていない時には、前側保持枠７３及び後側保持枠７４との間で前側透明板部材７１及び後側透明板部材７２とを夫々離間する方向に付勢する。
【００２５】
前側保持枠７３は、額縁状形態をなし、前側透明板部材７１が嵌め込まれる開口部７３ａと、その開口部７３ａの外側に延設されて接合手段８０や付勢手段９０が配置（形成）される角部７３ｂ（本実施例では、４箇所）とを備えている。開口部７３ａには、接着剤などが塗布されて、前側透明板部材７１が前側から圧入される。各角部７３ｂには、厚み方向に貫通する貫通孔７３ｃがそれぞれ形成されている。また、各角部７３ｂの側部には、前枠４の固定手段４４によって固定される係止片７３ｄが形成されている。
【００２６】
後側保持枠７４は、額縁状形態をなし、後側透明板部材７２が嵌め込まれる開口部７４ａと、その開口部７４ａの外側に延設されて接合手段８０や付勢手段９０が配置（形成）される角部７４ｂ（本実施例では、４箇所）とを備えている。開口部７４ａには、接着剤などが塗布されて、後側透明板部材７２が後側から圧入される。各角部７４ｂには、付勢手段９０が組み付けられる円筒状に突出した取付部７４ｃがそれぞれ形成されている。
【００２７】
接合手段８０は、図５及び図６に示すように、前側保持枠７３の各角部７３ｂの後面側で突出形成されたボス部８１と、後側保持枠７４の各角部７４ｂに貫通形成された挿通孔８２と、ボス部８１に締結される座付きビス８３とによって構成されている。従って、接合手段８０は、ボス部８１が挿通孔８２に挿通され、そのボス部８１の先端に座付きビス８３が締結されることにより、角部７４ｂ（後側保持枠７４）が座付きビス８３で抜け止めされ、ボス部８１の高さと角部７４ｂの厚みとの差分だけ、前側保持枠７３と後側保持枠７４とが相対的に摺動可能に接合している。すなわち、図６に示すように、透明板ユニット７は、前側保持枠７３と後側保持枠７４とが付勢手段によって最も離間した状態の厚みＤＭから、その差分（間隔幅Ｗ）だけ薄くなるように変形（伸縮）することができる。見方を変えると、透明板ユニット７が前枠４に配置されたときには（前側保持枠７３が前枠４に固定されたときには）、後側保持枠７４が前枠４の後面から距離（厚み）ＤＭを最大とし、その差分（間隔幅Ｗ）だけ移動可能に配置することができる。
【００２８】
具体的には、ボス部８１の高さをＨ、挿通孔８２端部（近傍）における各角部７４ｂの厚み（挿通孔８２の長さ）をｈとしたとき、所定範囲の間隔幅Ｗは、ボス部８１の高さＨから角部７４ｂの厚みｈを引いた値で表すことができる。このとき、間隔幅Ｗは、例えば１ｍｍより大きく５ｍｍよりも小さくなるように設定されることが望ましい。より好ましくは、間隔幅Ｗは、略３ｍｍ（２．５ｍｍより大きく、３．５ｍｍよりも小さくなるよう）に設定されることが望ましい。なお、間隔幅Ｗは、図８に示すように、ボス部８１の基端部と挿通孔８２前端部との間の間隔幅をＷ１、ボス部８１の先端部（座付きビス８３）と挿通孔８２後端部との間の間隔幅をＷ２としたとき、Ｗ１とＷ２とを足したもので表すことができる（Ｗ＝Ｗ１＋Ｗ２）。
【００２９】
ここで、遊技板（遊技盤５）の構造に関しては、ガラス板（後側透明板部材７２）と平行であり、その間の距離が１３ｍｍを超え、２５ｍｍを超えないものであることと規格されている。通常、遊技盤５と後側透明板部材７２との間の距離は、遊技球の直径が１１ｍｍに設定（規格）されているので、遊技球２個分の距離に相当する２２ｍｍを超えない１９ｍｍから２０ｍｍに設定されていることが一般的である。仮に、遊技機１の個体差によって、遊技盤５と後側透明板部材７２との距離が遊技球２個分の２２ｍｍ以上になってしまうと、その間に球詰まりが発生しやすくなり、また遊技球が入賞口に入らなくなる問題が発生し、２５ｍｍを超えないものでも遊技機１としての精度や遊技性における一般的な不良品扱いとする場合がある。従って、透明板ユニット７における間隔幅Ｗを３ｍｍ前後に設定することで、不良品扱いとされる遊技盤５と後側透明板部材７２との距離が２２ｍｍ以上とならないようにバラツキを吸収し、設定された距離（１９ｍｍから２０ｍｍ）を問題なく形成することができる。
【００３０】
また、間隔幅Ｗを上記範囲に設定することで、前側保持枠７３と後側保持枠７４とを安定的に組み付けることができる。なお、間隔幅Ｗが１ｍｍよりも小さくなると、遊技機１の個体差による遊技盤５と後側透明板部材７２との距離のバラツキを十分に吸収しきれなくなる虞がある。また、間隔幅Ｗが５ｍｍよりも大きくなると、透明板ユニット７が大型化するだけでなく、前側保持枠７３と後側保持枠７４との摺動範囲が大きくなり、ガタつきなどが発生し安定性が阻害される虞がある。
【００３１】
付勢手段９０は、一端側が後側保持枠７４に配置される圧縮コイルばね９１と、その圧縮コイルばね９１の他端側に配置され該圧縮コイルばね９１の付勢力を受け止めるバネ受部材９２とを備えている。
【００３２】
バネ受部材９２は、図５に示すように、前側保持枠７３の貫通孔７３ｃから突出する底壁部９２ａと、その底壁部９２ａの外周縁から立ち上がる外周壁部９２ｂと、底壁部９２ａの中央領域から円筒状に立ち上がる内周壁部９２ｃとを備えてキャップ状形態をなして形成されている。バネ受部材９２は、外周壁部９２ｂと内周壁部９２ｃとによって環状の開口を有した有底の空間部が形成され、その開口から圧縮コイルばね９１が挿入される。また、外周壁部９２ｂの外周面には、開口側が拡幅（拡径）した段差状の係止部９２ｄが形成され、その係止部９２ｄにより前側保持枠７３の貫通孔７３ｃから抜け止めされる。
【００３３】
バネ受部材９２は、内周壁部９２ｃが後側保持枠７４の取付部７４ｃの貫通孔に挿通され、その先端に座付きビス９３が締結されることにより、上記接合手段８０の構造と同様に所定範囲の間隔幅内（距離）だけ相対的に摺動可能に固定されている。そして、圧縮コイルばね９１が、取付部７４ｃに内側から支持され、外周壁部９２ｂに外側から支持されるように配置されており、後側保持枠７４とバネ受部材９２とを夫々離間する方向に付勢する。従って、透明板ユニット７が前枠４に配置されていない時には、圧縮コイルばね９１の付勢力により、上記係止部９２ｄが貫通孔７３ｃの縁部に当接（係止）して、前側保持枠７３と後側保持枠７４とを離間する方向に付勢することとなる（図６参照）。このとき、バネ受部材９２は、底壁部９２ａの少なくとも一部が貫通孔７３ｃから突出するように形成されている。
【００３４】
なお、前枠４の背面４ａに設けられた固定手段４４は、下側の固定手段４４ｃ，４４ｄが、ホルダー形態をなし、前側保持枠７３の下側の係止片７３ｄ，７３ｄが上から下方向にスライド挿入され、上以外の方向への移動を規制する。このとき、下側の係止片７３ｄ，７３ｄをくさび形状とすると、挿入が容易となり、かつ安定して固定することができる。そして、上側の固定手段４４ａ，４４ｂが、退避位置と規制位置との間で背面４ａに平行に回転可能に設けられ、規制位置にて前側保持枠７３の上側の係止片７３ｄ，７３ｄを背面４ａに押しつけるように固定する。固定手段４４は、これらの態様に限定されるものではなく前側保持枠７３を前枠４の後面４ａに固定できるものであればよい。
【００３５】
次に、透明板ユニット７の作動について説明する。まず、透明板ユニット７は、前枠４に配置されていない時には、図６に示すように、圧縮コイルばね９１の付勢力により、バネ受部材９２と後側保持枠７４とが夫々離間する方向に付勢される。そして、バネ受部材９２の一部（底壁部９２ａ）が貫通孔７３ｃから前側保持枠７３（角部７３ｂ）の前面側に突出した状態で、バネ受部材９２の係止部９２ｄが前側保持枠７３の貫通孔７３ｃの内壁に形成された段差部に当接（押圧）して前側保持枠７３と後側保持枠７４とが夫々離間する方向に付勢され、接合手段８０の貫通孔８２の端部（角部７４ｂ）が座付きビス８３に当接する位置で保持されている。すなわち、前側保持枠７３と後側保持枠７４とが最も離間した位置（前側保持枠７３と後側保持枠７４とが厚みＤＭとなる状態：Ｗ１＝Ｗ（最大），Ｗ２＝０）で保持されている。
【００３６】
続いて、上記のように、透明板ユニット７が固定手段４４を介して前枠４に固定配置された時には、図７に示すように、接合手段８において貫通孔８２の端部（角部７４ｂ）が座付きビス８３に当接する位置で保持された状態で、バネ受部材９２の突出可能な一部（底壁部９２ａ）が前枠４の後面４ａによって貫通孔７３ｃ内に押し込まれる。このとき、後側保持枠７４は、圧縮コイルばね９１の付勢力により、接合手段８０の貫通孔８２の端部（角部７４ｂ）が座付きビス８３に当接する位置（前側保持枠７３と後側保持枠７４とが厚みＤＭとなる状態：Ｗ１＝Ｗ（最大），Ｗ２＝０）でそのまま保持される。すなわち、後側保持枠７４は、バネ受部材９２を介し前枠４の後面４ａを起端として後方に付勢された状態となる。
【００３７】
そして、図８に示すように、前枠４が内枠３に対して閉状態のときには、後側透明板部材７２は、遊技盤５の盤面に対して所定距離離間した位置で平行に配置される。具体的には、後側透明板部材７２は、後側保持枠７４が当接部５１に当接して僅かに前方に押し戻され、相対的に移動可能な所定範囲の間隔幅の中途位置（厚みＤ状態：最大厚みＤＭからＷ２を差し引いた状態；Ｗ１＝Ｗ−Ｗ２，０＜Ｗ２＜Ｗ）で保持されるように設定されている。すなわち、接合手段８０のボス部８１の中途位置に貫通孔８２が位置するように保持されている。これにより、前枠４が前後方向に僅かに移動した場合にも、後側保持枠７４が当接部５１に当接した状態で保持することができ、ひいては、遊技盤５と後側透明板部材７２との距離を一定に保つことができる。例えば、図７の仮想線で示す遊技盤５（当接部５１）のように、僅かに前枠４が開状態となる方向に相対的に移動しても、貫通孔８２の端部（角部７４ｂ）が座付きビス８３に当接する最大離間距離位置までは、遊技盤５と後側透明板部材７２との距離を一定に保つことができる。ひいては、内枠３や前枠４などの遊技機枠の個体差による遊技盤５と後側透明板部材７２との距離のバラツキを吸収して、遊技盤５と後側透明板部材７２との距離を一定に設定することができる。
【００３８】
本発明では遊技機の一例としてパチンコ機について説明したが、他に例えばアレンジボール遊技機、雀球遊技機等の透明板ユニットが設けられる遊技機に適用することができる。
【符号の説明】
【００３９】
１  パチンコ機（遊技機）
２  外枠
３  内枠
４  前枠
４ａ  背面
５  遊技盤
５ｂ  遊技領域
６  球発射装置
７  透明板ユニット
４１  窓部
４４，４４ａ，４４ｂ，４４ｃ，４４ｄ  固定手段
７１  前側透明板部材
７２  後側透明板部材
７３  前側保持枠
７３ｃ  貫通孔
７３ｄ  係止片
７４  後側保持枠
７４ｃ  取付部
８０  接合手段
９０  付勢手段
９１  圧縮コイルばね
９２  バネ受部材
【図１】
0005570062.tif 000002
【図２】
0005570062.tif 000003
【図３】
0005570062.tif 000004
【図４】
0005570062.tif 000005
【図５】
0005570062.tif 000006
【図６】
0005570062.tif 000007
【図７】
0005570062.tif 000008
【図８】
0005570062.tif 000009